(57)【特許請求の範囲】
【請求項１】
所定のセル半径を有する第１セルを形成する第１基地局と、前記所定のセル半径よりも小さいセル半径を有する第２セルを形成する第２基地局とを制御する通信制御装置であって、
前記第１セルの負荷率を取得する取得部と、
前記取得部によって取得された前記第１セルの負荷率が所定値よりも大きい場合、前記第２セルのCell Range Expansion値を決定し、決定したCell Range Expansion値を設定した場合に前記第２セルに接続する移動局の数に基づいて、Almost Blank SubframeまたはRelative Narrowband TX Powerのパターンを決定する決定部と、
前記決定部によって決定された前記パターンを、前記第１基地局または前記第２基地局の少なくとも何れかに通知する通知部と
を備える通信制御装置。
【請求項２】
所定のセル半径を有する第１セルを形成する第１基地局と、前記所定のセル半径よりも小さいセル半径を有する第２セルを形成する第２基地局とを制御する通信制御装置であって、
前記第１セルのスループットを取得する取得部と、
前記取得部によって取得された前記スループットが所定値よりも大きい場合、前記第２セルのCell Range Expansion値を決定し、決定したCell Range Expansion値を設定した場合に前記第２セルに接続する移動局の数に基づいて、Almost Blank SubframeまたはRelative Narrowband TX Powerのパターンを決定する決定部と、
前記決定部によって決定された前記パターンを、前記第１基地局または前記第２基地局の少なくとも何れかに通知する通知部と
を備える通信制御装置。
【請求項３】
所定のセル半径を有する第１セルを形成する第１基地局と、前記所定のセル半径よりも小さいセル半径を有する第２セルを形成する第２基地局とを制御する通信制御装置であって、
前記第２セルの使用率を取得する取得部と、
前記取得部によって取得された前記使用率が所定値よりも大きい場合、前記第２セルのCell Range Expansion値を決定し、決定したCell Range Expansion値を設定した場合に前記第２セルに接続する移動局の数に基づいて、Almost Blank SubframeまたはRelative Narrowband TX Powerのパターンを決定する決定部と、
前記決定部によって決定された前記パターンを、前記第１基地局または前記第２基地局の少なくとも何れかに通知する通知部と
を備える通信制御装置。
【請求項４】
所定のセル半径を有する第１セルを形成する第１基地局と、前記所定のセル半径よりも小さいセル半径を有する第２セルを形成する第２基地局とを制御する通信制御装置であって、
前記第１セルの負荷率及び前記第２セルの負荷率を取得する取得部と、
前記取得部によって取得された前記第１セルの負荷率及び前記第２セルの負荷率に基づいて、Almost Blank SubframeまたはRelative Narrowband TX Powerのパターンを設定し、前記第１セルの負荷率と、前記第２セルの負荷率との差異が所定範囲内になるようなCell Range Expansion値を決定する決定部と、
前記決定部によって決定された前記Cell Range Expansion値を、前記第１基地局または前記第２基地局の少なくとも何れかに通知する通知部と
を備える通信制御装置。
【請求項５】
所定のセル半径を有する第１セルを形成する第１基地局と、前記所定のセル半径よりも小さいセル半径を有する第２セルを形成する第２基地局とを制御する通信制御装置であって、
前記第１セルのスループット及び前記第２セルのスループットを取得する取得部と、
前記取得部によって取得された前記第１セルのスループット及び前記第２セルのスループットに基づいて、Almost Blank SubframeまたはRelative Narrowband TX Powerのパターンを設定し、前記第１セルのスループットと、前記第２セルのスループットとの差異が所定範囲内になるようなCell Range Expansion値を決定する決定部と、
前記決定部によって決定された前記Cell Range Expansion値を、前記第１基地局または前記第２基地局の少なくとも何れかに通知する通知部と
を備える通信制御装置。
【請求項６】
所定のセル半径を有する第１セルを形成する第１基地局と、前記所定のセル半径よりも小さいセル半径を有する第２セルを形成する第２基地局とを制御する通信制御装置であって、
前記第２セルに接続する移動局の数、及び複数のCell Range Expansion値を取得する取得部と、
前記取得部によって取得された複数のCell Range Expansion値のそれぞれに基づいて、前記第２セルのセル半径が拡張された場合における前記第２セルのセル端に位置する移動局のスループットを計算し、計算した前記スループットに基づいて、前記複数のCell Range Expansionの値のうち、スループットが最も高くなるCell Range Expansionの値を決定する決定部と、
前記決定部によって決定された前記Cell Range Expansion値を、前記第１基地局または前記第２基地局の少なくとも何れかに通知する通知部と
を備える通信制御装置。
【請求項７】
所定のセル半径を有する第１セルを形成する第１基地局と、前記所定のセル半径よりも小さいセル半径を有する第２セルを形成する第２基地局とを制御する通信制御装置であって、
前記第２セルに接続する移動局の数を取得する取得部と、
前記取得部によって取得された前記第２セルに接続する移動局の数に基づいて、前記第２セル内に位置する移動局への前記第２基地局からの無線信号の送信電力の候補と、前記送信電力に基づく移動局のスループットの候補とを計算し、スループットが最も高くなる送信電力の候補を決定する決定部と、
前記決定部によって決定された前記送信電力の候補を、前記第１基地局または前記第２基地局の少なくとも何れかに通知する通知部と
を備える通信制御装置。
【請求項８】
所定のセル半径を有する第１セルを形成する第１基地局と、前記所定のセル半径よりも小さいセル半径を有する第２セルを形成する第２基地局とを制御する通信制御方法であって、
前記第１セルの負荷率を取得するステップと、
取得された前記第１セルの負荷率が所定値よりも大きい場合、前記第２セルのCell Range Expansion値を決定し、決定したCell Range Expansion値を設定した場合に前記第２セルに接続する移動局の数に基づいて、Almost Blank SubframeまたはRelative Narrowband TX Powerのパターンを決定するステップと、
決定された前記パターンを、前記第１基地局または前記第２基地局の少なくとも何れかに通知するステップと
を含む通信制御方法。
【請求項９】
所定のセル半径を有する第１セルを形成する第１基地局と、前記所定のセル半径よりも小さいセル半径を有する第２セルを形成する第２基地局とを制御する通信制御方法であって、
前記第１セルのスループットを取得するステップと、
取得された前記スループットが所定値よりも大きい場合、前記第２セルのCell Range Expansion値を決定し、決定したCell Range Expansion値を設定した場合に前記第２セルに接続する移動局の数に基づいて、Almost Blank SubframeまたはRelative Narrowband TX Powerのパターンを決定するステップと、
決定された前記パターンを、前記第１基地局または前記第２基地局の少なくとも何れかに通知するステップと
を備える通信制御方法。
【請求項１０】
所定のセル半径を有する第１セルを形成する第１基地局と、前記所定のセル半径よりも小さいセル半径を有する第２セルを形成する第２基地局とを制御する通信制御方法であって、
前記第２セルの使用率を取得するステップと、
取得された前記使用率が所定値よりも大きい場合、前記第２セルのCell Range Expansion値を決定し、決定したCell Range Expansion値を設定した場合に前記第２セルに接続する移動局の数に基づいて、Almost Blank SubframeまたはRelative Narrowband TX Powerのパターンを決定するステップと、
決定された前記パターンを、前記第１基地局または前記第２基地局の少なくとも何れかに通知するステップと
を備える通信制御方法。
【請求項１１】
所定のセル半径を有する第１セルを形成する第１基地局と、前記所定のセル半径よりも小さいセル半径を有する第２セルを形成する第２基地局とを制御する通信制御方法であって、
前記第１セルの負荷率及び前記第２セルの負荷率を取得するステップと、
取得された前記第１セルの負荷率及び前記第２セルの負荷率に基づいて、Almost Blank SubframeまたはRelative Narrowband TX Powerのパターンを設定し、前記第１セルの負荷率と、前記第２セルの負荷率との差異が所定範囲内になるようなCell Range Expansion値を決定するステップと、
決定された前記Cell Range Expansion値を、前記第１基地局または前記第２基地局の少なくとも何れかに通知するステップと
を備える通信制御方法。
【請求項１２】
所定のセル半径を有する第１セルを形成する第１基地局と、前記所定のセル半径よりも小さいセル半径を有する第２セルを形成する第２基地局とを制御する通信制御方法であって、
前記第１セルのスループット及び前記第２セルのスループットを取得するステップと、
取得された前記第１セルのスループット及び前記第２セルのスループットに基づいて、Almost Blank SubframeまたはRelative Narrowband TX Powerのパターンを設定し、前記第１セルのスループットと、前記第２セルのスループットとの差異が所定範囲内になるようなCell Range Expansion値を決定するステップと、
決定された前記Cell Range Expansion値を、前記第１基地局または前記第２基地局の少なくとも何れかに通知するステップと
を備える通信制御方法。
【請求項１３】
所定のセル半径を有する第１セルを形成する第１基地局と、前記所定のセル半径よりも小さいセル半径を有する第２セルを形成する第２基地局とを制御する通信制御方法であって、
前記第２セルに接続する移動局の数、及び複数のCell Range Expansion値を取得するステップと、
取得された複数のCell Range Expansion値のそれぞれに基づいて、前記第２セルのセル半径が拡張された場合における前記第２セルのセル端に位置する移動局のスループットを計算し、計算した前記スループットに基づいて、前記複数のCell Range Expansionの値のうち、スループットが最も高くなるCell Range Expansionの値を決定するステップと、
決定された前記Cell Range Expansion値を、前記第１基地局または前記第２基地局の少なくとも何れかに通知するステップと
を備える通信制御方法。
【請求項１４】
所定のセル半径を有する第１セルを形成する第１基地局と、前記所定のセル半径よりも小さいセル半径を有する第２セルを形成する第２基地局とを制御する通信制御方法であって、
前記第２セルに接続する移動局の数を取得するステップと、
取得された前記第２セルに接続する移動局の数に基づいて、前記第２セル内に位置する移動局への前記第２基地局からの無線信号の送信電力の候補と、前記送信電力に基づく移動局のスループットの候補とを計算し、スループットが最も高くなる送信電力の候補を決定するステップと、
決定された前記送信電力の候補を、前記第１基地局または前記第２基地局の少なくとも何れかに通知するステップと
を備える通信制御方法。
【発明の詳細な説明】
【技術分野】
【０００１】
本発明は、基地局を制御する通信制御装置及び通信制御方法に関し、具体的には、セル間干渉コーディネーションに関するパラメータを制御する通信制御装置及び通信制御方法に関する。
【背景技術】
【０００２】
3rd Generation Partnership Project（3GPP）において標準化が進められているLong Term Evolution-Advanced（LTE-A）では、従来のマクロセルに加え、ピコセル、フェムトセル、或いはRemote Radio Head（RRH）など、送信電力の異なる様々な形態のセルを用いたオーバレイ型ネットワークであるヘテロジニアスネットワーク（HetNet）が規定されている（例えば、非特許文献１）。
【０００３】
ヘテロジニアスネットワークでは、移動局のセル選択における受信品質（受信電力）にバイアスを付与することにより、ピコセルなどのセル半径を大きくするCell Range Expansionの適用が規定されている。これにより、マクロセルと、ピコセルなどとがオーバレイされている場合において、より多くのトラフィックをマクロセルからピコセルにオフロードすることが可能となる。
【０００４】
このようなバイアスの付与によってピコセルにハンドオーバした移動局は、本来マクロセルと十分接続が可能な環境下にあるため、マクロセルから大きな干渉を受ける。そこで、セル間における干渉コーディネーション（eICIC）が必要となる。具体的には、マクロセルと、ピコセルとで異なる時間領域または周波数領域の無線リソースを用いることによって、干渉を回避するセル間干渉コーディネーションが知られている。
【０００５】
例えば、時間領域におけるセル間干渉コーディネーションでは、マクロセルに割り当てられる時間領域を制御するAlmost Blank Subframe（ABS）パターンによって、マクロセルが無線信号を送信する時間領域の無線リソースブロックが決定される。
【先行技術文献】
【非特許文献】
【０００６】
【非特許文献１】3GPP TS 36.300 V10.3.0, Evolved Universal Terrestrial Radio Access (E-UTRA) and Evolved Universal Terrestrial Radio Access Network (E-UTRAN); Overall description; Stage 2 (Release 10)、２０１１年３月
【発明の概要】
【発明が解決しようとする課題】
【０００７】
しかしながら、上述したセル間干渉コーディネーションには、次のような問題がある。例えば、時間領域におけるセル間干渉コーディネーションの場合、マクロセル及びピコセルに接続する移動局の数に応じた最適なABSパターンが、Cell Range Expansionの値（dB）によって刻々と変化するが、このような場合、最適なABSパターンを決定することができない問題がある。
【０００８】
そこで、本発明は、このような状況に鑑みてなされたものであり、ヘテロジニアスネットワークにおいてセル間干渉コーディネーションによって変化するパラメータを自律的に最適化できる通信制御装置及び通信制御方法の提供を目的とする。
【課題を解決するための手段】
【０００９】
本発明の第１の特徴は、所定のセル半径を有する第１セル（マクロセルC11）を形成する第１基地局（基地局100）と、前記所定のセル半径よりも小さいセル半径を有する第２セル（例えば、ピコセルC21）を形成する第２基地局（例えば、基地局200A）とを制御する通信制御装置（通信制御装置50）であって、前記第１セルに接続する移動局の数、または前記第２セルに接続する移動局の数に基づいて定まる第１パラメータを取得する取得部（パラメータ取得部51）と、前記取得部によって取得された前記第１パラメータに基づいて、前記第１セルに接続可能な移動局の数または前記第２セルに接続可能な移動局の数を変化させる第２パラメータを決定する決定部（パラメータ決定部53）と、前記決定部によって決定された前記第２パラメータを、前記第１基地局または前記第２基地局の少なくとも何れかに通知する通知部（パラメータ通知部55）とを備えることを要旨とする。
【００１０】
本発明の第２の特徴は、所定のセル半径を有する第１セルを形成する第１基地局と、前記所定のセル半径よりも小さいセル半径を有する第２セルを形成する第２基地局とを制御する通信制御方法であって、前記第１セルに接続する移動局の数、または前記第２セルに接続する移動局の数に基づいて定まる第１パラメータを取得するステップと、取得された前記第１パラメータに基づいて、前記第１セルに接続可能な移動局の数または前記第２セルに接続可能な移動局の数を変化させる第２パラメータを決定するステップと、決定された前記第２パラメータを、前記第１基地局または前記第２基地局の少なくとも何れかに通知するステップとを含むことを要旨とする。
【発明の効果】
【００１１】
本発明の特徴によれば、ヘテロジニアスネットワークにおいてセル間干渉コーディネーションによって変化するパラメータを自律的に最適化できる通信制御装置及び通信制御方法を提供することができる。
【図面の簡単な説明】
【００１２】
【図１】本発明の実施形態に係る移動体通信システム1の全体概略構成図である。
【図２】本発明の実施形態に係る通信制御装置50の機能ブロック構成図である。
【図３】時間領域及び周波数領域におけるセル間干渉コーディネーションの説明図である。
【図４】本発明の実施形態に係る通信制御装置50によるABS（RNTP）パターンの制御例の説明図である。
【図５】本発明の実施形態に係る通信制御装置50によるABS（RNTP）パターンの制御例１に係る動作フローを示す図である。
【図６】本発明の実施形態に係る通信制御装置50によるABS（RNTP）パターンの制御例２に係る動作フローを示す図である。
【図７】本発明の実施形態に係る通信制御装置50によるABS（RNTP）パターンの制御例３に係る動作フローを示す図である。
【図８】本発明の実施形態に係る通信制御装置50によるCell Range Expansion値の制御例１に係る動作フローを示す図である。
【図９】本発明の実施形態に係る通信制御装置50によるCell Range Expansion値の制御例２に係る動作フローを示す図である。
【図１０】本発明の実施形態に係る通信制御装置50によるCell Range Expansion値の制御例３の説明図である。
【図１１】本発明の実施形態に係る通信制御装置50によるCell Range Expansion値の制御例３に係る動作フローを示す図である。
【図１２】本発明の実施形態に係る通信制御装置50による送信電力制御パラメータの制御例に係る動作フローを示す図である。
【図１３】本発明の実施形態に係る通信制御装置50によるピコセル送信電力の制御例の説明図である。
【図１４】本発明の実施形態に係る通信制御装置50によるピコセルの送信電力の制御例に係る動作フローを示す図である。
【発明を実施するための形態】
【００１３】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１４】
したがって、具体的な寸法などは以下の説明を参酌して判断すべきものである。また、図面相互間においても互いの寸法の関係や比率が異なる部分が含まれていることは勿論である。
【００１５】
（１）の全体概略構成
図１は、本実施形態に係る移動体通信システム1の全体概略構成図である。図１に示すように、移動体通信システム1は、通信制御装置50、基地局100、基地局200A, 200B及び移動局300を含む。移動体通信システム1は、例えば、3rd Generation Partnership Project（3GPP）において標準化が進められているLong Term Evolution-Advanced（LTE-A）に従った移動体通信システムである。
【００１６】
通信制御装置50は、基地局100及び基地局200A, 200Bを制御する。通信制御装置50としては、例えば、Mobility Management Entity（MME）を用いることができる。或いは、通信制御装置50は、基地局100の内部に設けられても構わない。
【００１７】
基地局100は、マクロセルを形成するマクロ基地局である。基地局100は、所定のセル半径を有するマクロセルC11（第１セル）を形成する第１基地局を構成する。
【００１８】
基地局200A, 200Bは、ピコセル（またはフェムトセル）を形成するピコ基地局である。基地局200Aは、マクロセルC11のセル半径よりも小さいセル半径を有するピコセルC21（第２セル）を形成する第２基地局を構成する。同様に、基地局200Bは、ピコセルC22を形成する。基地局200A（200B）は、建物内などに設置され、いわゆるホットスポットを形成してもよい。
【００１９】
このように、移動体通信システム1では、送信電力の異なる様々な形態のセルを用いたオーバレイ型ネットワークであるヘテロジニアスネットワーク（HetNet）を構成する。
【００２０】
移動局300は、基地局100及び基地局200A, 200Bと無線通信を実行する端末装置である。
【００２１】
また、移動体通信システム1では、基地局100と基地局200A, 200Bとの干渉を回避するセル間干渉コーディネーション（eICIC）が導入されており、セル間干渉コーディネーションによって変化するパラメータを自律的に最適化する。
【００２２】
（２）通信制御装置の機能ブロック構成
図２は、通信制御装置50の機能ブロック構成図である。図２に示すように、通信制御装置50は、パラメータ取得部51、パラメータ決定部53及びパラメータ通知部55を備える。
【００２３】
パラメータ取得部51は、セル間干渉コーディネーションに用いられるパラメータを取得する。具体的には、パラメータ取得部51は、マクロセルC11に接続する移動局300の数、またはピコセルC21, C22に接続する移動局の数に基づいて定まるパラメータ（第１パラメータ）を取得する。
【００２４】
本実施形態では、パラメータ取得部51は、マクロセルC11またはピコセルC21, C22の負荷率、マクロセルC11またはピコセルC21, C22のスループット、或いはマクロセルC11またはピコセルC21, C22の使用率を取得する。なお、第１パラメータのさらに具体的な例については、後述する。
【００２５】
パラメータ決定部53は、パラメータ取得部51によって取得されたパラメータに基づいて、基地局100または基地局200A, 200Bを制御するパラメータを決定する。具体的には、パラメータ決定部53は、パラメータ取得部51によって取得されたパラメータに基づいて、マクロセルC11に接続可能な移動局300の数またはピコセルC21, C22に接続可能な移動局300の数を変化させるパラメータ（第２パラメータ）を決定する。
【００２６】
本実施形態では、パラメータ決定部53は、マクロセルC11またはピコセルC21, C22に割り当てられる時間領域の無線リソースブロック、マクロセルC11またはピコセルC21, C22に割り当てられる周波数領域の無線リソースブロック、或いはマクロセルC11またはピコセルC21, C22の送信電力の値を決定する。
【００２７】
具体的には、パラメータ決定部53は、マクロセルC11とピコセルC21, C22との負荷率の比、マクロセルC11とピコセルC21, C22とのスループットの比、またはマクロセルC11とピコセルC21, C22との使用率の比に基づいて、時間領域の無線リソースブロックのサイズ、周波数領域の無線リソースブロックのサイズ、または送信電力の値を決定する。なお、さらに具体的な当該パラメータの決定方法については、後述する。
【００２８】
パラメータ通知部55は、パラメータ決定部53によって決定されたパラメータを、基地局100または基地局200A, 200Bの少なくとも何れかに通知する。
【００２９】
ここで、本実施形態において用いられるパラメータ（第２パラメータ）の一例について説明する。図３（ａ）は、時間領域におけるセル間干渉コーディネーションの説明図である。図３（ｂ）は、周波数領域におけるセル間干渉コーディネーションの説明図である。
【００３０】
図３（ａ）に示すように、時間領域におけるセル間干渉コーディネーションでは、Almost Blank Subframeのパターンに基づいて、時間領域において基地局100（マクロ基地局）が送信できる時間領域の無線リソースブロックが規定される。図３（ａ）に示す例では、「1010…」が繰り返されるパターンであるため、基地局100は、１subframe（１ｍｓ）毎に無線信号を送信する。このようなAlmost Blank Subframe（ABS）のパターンが用いられる場合、基地局100と基地局200A, 200Bとが同期して、無線信号の送信タイミングを制御する必要がある。
【００３１】
また、図３（ｂ）に示すように、周波数領域におけるセル間干渉コーディネーションでは、基地局200A（ピコ基地局）のみに割り当てられる周波数領域の無線リソースブロックが規定される。具体的には、周波数帯域f1は、マクロ基地局及びピコ基地局に割り当てられているが、周波数帯域f2は、ピコ基地局のみに割り当てられている。
【００３２】
本実施形態では、通信制御装置50は、時間領域におけるセル間干渉コーディネーションにおいて用いられるABSのパターンや、周波数領域におけるセル間干渉コーディネーションにおいて用いられるRelative Narrowband TX Power （RNTP）パターンを、パラメータ取得部51が取得したパラメータ（第１パラメータ）の値に基づいて自律的に制御する。
【００３３】
（３）制御例
次に、通信制御装置50による基地局100及び基地局200A, 200Bの制御例について説明する。
【００３４】
本実施形態では、通信制御装置50のパラメータ決定部53は、以下のパラメータ（第２パラメータ）を最適化する。
【００３５】
（ａ）Almost Blank Subframe (ABS)パターン
（ｂ）Relative Narrowband TX Power（RNTP）パターン
（ｃ）Cell Range expansion値
（ｄ）送信電力（送信電力制御パラメータを含む）
（ｅ）送信アンテナのチルト角
また、通信制御装置50のパラメータ取得部51は、第２パラメータの最適化を実行するトリガーとなる以下のパラメータ（第１パラメータ）を取得する。
【００３６】
（ａ）マクロセル・ピコセルの負荷率
なお、負荷率は、（当該セルへの接続移動局数／秒）で表現される。トラフィックモデルがフルバッファモデルの場合、マクロセル・ピコセルに接続する移動局（ユーザ）数の比に相当する。
【００３７】
（ｂ）マクロセル・ピコセルがそれぞれ送信するServed cell throughput
なお、Served cell throughputは、3GPP TR36.814において以下のように定義されている。
【００３８】
Served cell throughput 
= total amount of data for all users / total amount of observation time 
トラフィックモデルを考慮すると、Served cell throughputを当該パラメータとすることが好ましい。
【００３９】
（ｃ）ピコセルのABS（RNTP）使用率
以下、上述した第１パラメータ及び第２パラメータを用いた通信制御装置50による基地局100及び基地局200A, 200Bの具体的な制御例について説明する。
【００４０】
（３．１）ABS（RNTP）パターン
まず、図４〜図７を参照して、ABS（RNTP）パターンの制御例について説明する。
【００４１】
（３．１．１）制御例１
図４は、通信制御装置50によるABS（RNTP）パターンの制御例の説明図である。制御例１では、図４に示すように、通信制御装置50は、マクロセル・ピコセルの負荷率に基づいて、ABSパターン、または指定された周波数帯域における無線信号の送信電力を指示するRNTPパターンを制御する。
【００４２】
例えば、図４は、ピコセルC21, C22のセル半径を拡張するための送信電力の増加量を示すCell Range Expansion値が4 dBから12 dBに変更になった場合の例を示している。Cell Range Expansion値が4 dBの場合におけるマクロセル／ピコセルのユーザ数比率が1:1、Cell Range Expansion値が12 dB の場合における同比率が3:7であったとすると、基地局100（マクロ基地局）が無送信とするsubframe数（つまり、無線リソースブロック（RB）数）の割合を50%から70%に変化させている。
【００４３】
すなわち、通信制御装置50は、Cell Range Expansion値が高くなった場合、基地局100（マクロ基地局）が無送信とするsubframe数の割合が高くなるようなABSパターンを選択する。
【００４４】
図５は、通信制御装置50によるABS（RNTP）パターンの制御例１に係る動作フローを示す。図５に示すように、通信制御装置50は、マクロセルの負荷率が所定値αよりも大きいか否かを判定する（S10）。マクロセルの負荷率がαよりも大きい場合、通信制御装置50は、ピコセルのCell Range Expansion値（例えば、4 dB）を決定（S20）し、決定したCell Range Expansion値を設定した場合における移動局300の数に基づいて、ABSまたはRNTPのパターンを設定する（S30）。具体的には、通信制御装置50は、数式：（ピコセルの負荷率）／（マクロセルの負荷率）＋（ピコセルの負荷率）を用いて、マクロセルが無送信にするサブフレーム（RB数）を計算する。
【００４５】
（３．１．２）制御例２
図６は、通信制御装置50によるABS（RNTP）パターンの制御例２に係る動作フローを示す。制御例２では、通信制御装置50は、マクロセル・ピコセルがそれぞれ送信するServed cell throughputに基づいて、ABSパターンまたはRNTPパターンを制御する。図６に示すように、通信制御装置50は、制御例１と同様に処理により、ピコセルのCell Range Expansion値（x dB）を決定し、決定したCell Range Expansion値を設定した場合における移動局300の数に基づいて、ABSまたはRNTPのパターンを設定する（S11〜S31）。
【００４６】
具体的には、通信制御装置50は、数式：（マクロセルのServed cell throughput）／（マクロセルのServed cell throughput）＋（ピコセルのServed cell throughput）を用いて、マクロセルが無送信にするサブフレーム（RB数）を計算する。
【００４７】
（３．１．３）制御例３
図７は、通信制御装置50によるABS（RNTP）パターンの制御例３に係る動作フローを示す。制御例３では、通信制御装置50は、ピコセルのABS（RNTP）使用率に基づいて、ABSパターンまたはRNTPパターンを制御する。
【００４８】
図７に示すように、通信制御装置50は、制御例１と同様に処理により、ピコセルのCell Range Expansion値（x dB）を決定し、決定したCell Range Expansion値を設定した場合における移動局300の数に基づいて、ABSまたはRNTPのパターンを設定する（S12〜S32B）。例えば、「1010…」が繰り返されるABSパターンであれば、ABSの使用率は50％となる。同様に、「1010…」であるRNTPパターンであれば、RNTP閾値を超える送信電力で送信されるRB数が50％となる。
【００４９】
具体的には、通信制御装置50は、数式：（ピコセルの負荷率）／（マクロセルの負荷率）＋（ピコセルの負荷率）を用いて、マクロセルが無送信にするサブフレーム（RB数）を計算する（S32A）。或いは、通信制御装置50は、数式：（マクロセルのServed cell throughput）／（マクロセルのServed cell throughput）＋（ピコセルのServed cell throughput）を用いて、マクロセルが無送信にするサブフレーム（RB数）を計算する（S32B）。
【００５０】
（３．２）Cell Range Expansion値
次に、図８〜図１１を参照して、Cell Range Expansion値の制御例について説明する。
【００５１】
（３．２．１）制御例１
図８は、通信制御装置50によるCell Range Expansion値の制御例１に係る動作フローを示す。制御例１では、通信制御装置50は、マクロセル・ピコセルの負荷率に基づいて、ピコセルのCell Range Expansion値を制御する。具体的には、マクロセルの負荷率が高くなってきた場合、マクロセル内に形成されるピコセルのCell Range Expansion値を高くし、マクロセルからピコセルへトラフィック（移動局300）をオフロードする。
【００５２】
具体的には、図８に示すように、通信制御装置50は、マクロセル及びピコセルの負荷率が、所定値（α、β）よりも大きいか否かを判定する（S110〜S121）。次いで、通信制御装置50は、マクロセルまたはピコセルの負荷率に基づいて、ABSまたはRNTPのパターンを設定（S130, S131）し、例えば、マクロセルの負荷率と、ピコセルの負荷率とが同一となるピコセルのCell Range Expansion値を設定する（S140, S141）。なお、Cell Range Expansion値は、マクロセルの負荷率と、ピコセルの負荷率とが必ずしも同一となるような値でなくてもよく、マクロセルの負荷率と、ピコセルの負荷率との差異が所定範囲内になるような値でもよい。
【００５３】
例えば、通信制御装置50は、Cell Range Expansion値が4 dBの場合におけるマクロセル・ピコセルにおける負荷率と、Cell Range Expansion値が12 dBの場合におけるマクロセル・ピコセルにおける負荷率を計算し、マクロセルの負荷率と、ピコセルの負荷率とが同一となるピコセルのCell Range Expansion値（例えば、12 dB）を設定する。
【００５４】
（３．２．２）制御例２
図９は、通信制御装置50によるCell Range Expansion値の制御例２に係る動作フローを示す。制御例２では、通信制御装置50は、マクロセル・ピコセルがそれぞれ送信するServed cell throughputに基づいて、ピコセルのCell Range Expansion値を制御する。
【００５５】
図９に示すように、通信制御装置50は、制御例１と同様に処理により、マクロセル及びピコセルのServed cell throughputが、所定値（α、β）よりも大きいか否かを判定する（S111〜S124）。次いで、通信制御装置50は、マクロセルまたはピコセルのServed cell throughputに基づいて、ABSまたはRNTPのパターンを設定（S133, S134）し、例えば、マクロセルの負荷率と、ピコセルの負荷率とが同一となるピコセルのCell Range Expansion値を設定する（S143, S144）。
【００５６】
（３．２．３）制御例３
図１０は、通信制御装置50によるCell Range Expansion値の制御例３の説明図である。図１１は、通信制御装置50によるCell Range Expansion値の制御例３に係る動作フローを示す。
【００５７】
制御例３では、図１０に示すように、特定のエリア（例えば、ピコセルC22）に位置する移動局300の数が多くなった場合、当該移動局300の数に応じたCell Range Expansion値を設定した場合におけるセル端でのユーザスループットがそれぞれ計算され、最もスループットが高くなるCell Range Expansion値が選択される。
【００５８】
具体的には、図１１に示すように、移動局300（UE）の分布やピコセル数などの条件が変化した場合（S205）、通信制御装置50は、複数のCell Range Expansion値（図１１に示す例では、4 dBと12 dB）に設定した場合におけるAlmost Blank Subframeのパターンを設定し、当該設定におけるセル端（例えば、ピコセルC22のセル端）におけるユーザスループットを計算する（S210〜S230及びS211〜S231）。
【００５９】
さらに、通信制御装置50は、計算した複数のユーザスループットの値を比較（S240）し、最もスループットが高くなるCell Range Expansion値を選択する（S250）。
【００６０】
すなわち、制御例３では、通信制御装置50のパラメータ取得部51は、ピコセルC21, C22に接続する移動局300の数、及び複数のCell Range Expansion値を取得し、パラメータ決定部53は、複数のCell Range Expansion値のそれぞれに基づいて、ピコセルC21（C22）のセル半径が拡張された場合における当該セルのセル端に位置する移動局300のスループット（ユーザスループット）を計算し、計算したスループットに基づいて、複数のCell Range Expansionの値のうち、当該スループットが最も高くなるCell Range Expansionの値を決定する。
【００６１】
（３．３）送信電力制御パラメータ
図１２は、通信制御装置50による送信電力制御パラメータの制御例に係る動作フローを示す。本制御例では、セル内（具体的には、セル端）に位置する移動局300（ユーザ）のスループット最大基準に基づいて、送信電力制御パラメータが自動設定される。具体的には、送信電力制御パラメータとしては、セル内（セル端ユーザ）に位置するユーザのスループットが最大となるような値が設定される。
【００６２】
例えば、特定のエリア（例えば、ピコセルC22）に位置する移動局300の数が多くなった場合、当該移動局300の数に応じた送信電力制御パラメータを設定した場合におけるセル端でのユーザスループットがそれぞれ計算され、最もスループットが高くなる送信電力制御パラメータの値が選択される。
【００６３】
具体的には、図１２に示すように、移動局300（UE）の分布やピコセル数などの条件が変化した場合（S305）、通信制御装置50は、複数の係数α（図７に示す例では、0.8と1.0）に設定した場合、及び送信電力P0を所定値（-80, -85, -105, -110dBm）に設定した場合において、セル（例えば、ピコセルC22）内、または当該セル端におけるユーザスループットを計算する（S310〜S332及びS311〜S334）。
【００６４】
さらに、通信制御装置50は、計算した複数のユーザスループットの値を比較（S340）し、最もユーザスループットが高くなる送信電力制御パラメータ（送信電力P0）を選択する（S350）。
【００６５】
すなわち、本制御例では、通信制御装置50のパラメータ取得部51は、ピコセルC21（C22）に接続する移動局300の数を取得し、パラメータ決定部53は、ピコセルC21（C22）に接続する移動局300の数に基づいて、当該セル内に位置する移動局300への基地局200A（200B）からの無線信号の送信電力P0の候補と、当該送信電力に基づく移動局のスループット（ユーザスループット）の候補とを計算し、当該スループットが最も高くなる送信電力の候補を決定する。
【００６６】
（３．４）ピコセル送信電力
図１３は、通信制御装置50によるピコセル送信電力の制御例の説明図である。本制御例では、通信制御装置50は、各セルの負荷率を示す情報を取得し、セル間における負荷分散を目的として、ピコセルの送信電力値を制御する。
【００６７】
図１４（ａ）及び（ｂ）は、通信制御装置50によるピコセルの送信電力の制御例に係る動作フローを示す。具体的には、図１４（ａ）は、マクロセルの負荷率に基づいて、ピコセルの電源をオンにする場合する場合の動作フローを示す。図１４（ｂ）は、ピコセルの負荷率に基づいて、ピコセルの電源をオフにする場合する場合の動作フローを示す。
【００６８】
図１４（ａ）に示すように、通信制御装置50は、マクロセルの負荷率が所定値αよりも大きいか否かを判定する（S410）。マクロセルの負荷率がαよりも大きい場合、通信制御装置50は、ピコセルの電源をオンにするよう当該ピコセルを制御する（S420）。この結果、ピコセルから無線信号が送信される。
【００６９】
また、図１４（ｂ）に示すように、通信制御装置50は、ピコセルの負荷率が所定値βよりも小さいか否かを判定する（S411）。ピコセルの負荷率がβよりも小さい場合、通信制御装置50は、ピコセルの電源をオフにするよう当該ピコセルを制御する（S421）。この結果、ピコセルからの無線信号の送信が停止される。
【００７０】
本制御例によれば、図１３に示すように、例えば、ピコセルC22に接続する移動局300の数が0の場合、通信制御装置50は、基地局200Bの送信電力を0として基地局200Bのパワーセービングを実現する。
【００７１】
また、通信制御装置50は、ピコセルC22に接続する移動局300の数が減少した場合、基地局100（マクロ基地局）の送信アンテナのチルト角を大きくさせてもよい。
【００７２】
（４）作用・効果の例
以上説明した移動体通信システム1によれば、マクロセルC11に接続する移動局300の数、またはピコセルC21, C22に接続する移動局の数に基づいて定まるパラメータ、具体的には、ABSパターン、RNTPパターン、Cell Range Expansion値、送信電力値及び送信アンテナのチルト角が決定される。このため、マクロセルC11及びピコセルC21, C22に接続する移動局300の数に応じた最適な制御パラメータを決定できる。すなわち、移動体通信システム1によれば、送信電力の異なる様々な形態のセルを用いたヘテロジニアスネットワークにおいてセル間干渉コーディネーションによって変化するパラメータを自律的に最適化できる。
【００７３】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００７４】
例えば、上述した実施形態では、通信制御装置50は、図５〜図９、図１１、図１２及び図１４に示したフローに従った処理を実行するものとして説明したが、変更された条件（第１パラメータ）と、当該条件に対するパラメータ（第２パラメータ）の値とが対応付けられたテーブルを用いて、第２パラメータを決定してもよい。例えば、ピコセルに接続する移動局300の数が３または４台である場合、通信制御装置50は、Served cell throughputなどを計算することなく、Cell Range Expansion値を8 dB（３台の場合）または12 dB（４台）と設定していもよい。
【００７５】
また、上述した実施形態では、LTE-Aに従った移動体通信システムを例として説明したが、本発明は、LTE-Aに限らず、送信電力の異なる様々な形態のセルを用いたヘテロジニアスネットワークにおいてセル間干渉コーディネーションを実行するような他の移動体通信システムにも勿論適用し得る。
【００７６】
また、上述した実施形態では、通信制御装置50がコアネットワークに設けられる形態としたが、通信制御装置50を基地局100の内部に設け、基地局200A, 200Bから情報を取得するとともに、基地局200A, 200Bを制御するようにしてもよい。
【００７７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００７８】
1…移動体通信システム
50…通信制御装置
51…パラメータ取得部
53…パラメータ決定部
55…パラメータ通知部
100, 200A, 200B…基地局
300…移動局
C11…マクロセル
C21, C22…ピコセル
【図１】
0005564009.tif 000002
【図２】
0005564009.tif 000003
【図３】
0005564009.tif 000004
【図４】
0005564009.tif 000005
【図５】
0005564009.tif 000006
【図６】
0005564009.tif 000007
【図７】
0005564009.tif 000008
【図８】
0005564009.tif 000009
【図９】
0005564009.tif 000010
【図１０】
0005564009.tif 000011
【図１１】
0005564009.tif 000012
【図１２】
0005564009.tif 000013
【図１３】
0005564009.tif 000014
【図１４】
0005564009.tif 000015